(57)【要約】【課題】  長さ位置調節後の位置決めが確実に行われ、位置ずれすなわち長さの変動の発生を完全に防止した長さ調節可能な衝撃緩衝杖の提供。【解決手段】  頂部に取手１を備え、下端部に開口部を有する大径の中空円筒部材製の上パイプ２と、前記上パイプ２の前記開口部内に挿通でき、かつ前記大径の中空円筒部材製の上パイプ２の内径部に沿って摺動嵌合する小径の中空円筒形部材製の下パイプ４と、この下パイプ４の下端に取付けた接地用石突１８とより成り、上パイプ２に設けた長さ調節用の多数の孔に対し、下パイプ４の上部に突設した摺動駒体６に出没自在に設けた係止ピン７を係脱自在に配設する長さ調節位置決め機構を設けると共に、前記摺動駒体６には下パイプ４の開口部から内部に向けてコイルスプリング１０を介して伸縮自在の杆体９を設けた接地衝撃緩衝機構を設けて成ることを特徴とする長さ調節可能な衝撃緩衝杖。【選択図】        図１
2007014395.tif 000002
【特許請求の範囲】
【請求項１】
頂部に取手を備え、下端部に開口部を有する大径の中空円筒部材製の上パイプと、前記上パイプの前記開口部内に挿通でき、かつ前記大径の中空円筒部材製の上パイプの内径部に沿って摺動嵌合する小径の中空円筒形部材製の下パイプと、この下パイプの下端に取付けた接地用石突とより成り、上パイプに設けた長さ調節用の多数の孔に対し、下パイプの上部に突設した摺動駒体に出没自在に設けた係止ピンを係脱自在に配設する長さ調節位置決め機構を設けると共に、前記摺動駒体には下パイプの開口部から内部に向けてコイルスプリングを介して伸縮自在の杆体を設けた接地衝撃緩衝機構を設けて成ることを特徴とする長さ調節可能な衝撃緩衝杖。
【請求項２】
コイルスプリングは、下パイプの開口部より内側に隠蔽して配設して成ることを特徴とする請求項１記載の長さ調節可能な衝撃緩衝杖。
【請求項３】
コイルスプリングは、下パイプの開口部より外側に突出させて配設して成ることを特徴とする請求項１記載の長さ調節可能な衝撃緩衝杖。
【請求項４】
下パイプには、さらに着脱自在の二以上の連結パイプを、内装させた弾性紐を介して弾性的に連結し、かつ最下位の連結パイプには底部に接地用石突を設けて成ることを特徴とする請求項１記載の長さ調節可能な衝撃緩衝杖。
【発明の詳細な説明】
【技術分野】
【０００１】
本発明は、安定した長さを保持して使用時の衝撃を緩和できる、長さ調節可能な衝撃緩衝杖に関する。
【背景技術】
【０００２】
この種の歩行援助用の手持杖には、歩行時の衝撃を緩和吸収するものや、長さを調節できる伸縮自在のものが知られている。
【０００３】
そして、衝撃緩和と伸縮自在の構成を一体に組込んだ一体型の杖が普及されている（例えば、特許文献１参照。）。
【特許文献１】特開２００２−１１２８１３号公報
【発明の開示】
【発明が解決しようとする課題】
【０００４】
特許文献１で示される、衝撃緩和と伸縮自在の機能を備えた杖にあっては、特に伸縮自在の機構が、上下二本の内筒と外筒との挿込位置を調節して長さを決めた後、内筒に対し外筒を回転させて締め付けて位置決めをしているため、緊締力が弱いと内外筒の緊締作用が小さく、確実安定した位置決めができないという事態を生じ、その結果、使用中、位置ずれを起こし長さが変化することにより、不慮の事故を生じかねない。
【０００５】
本発明は叙上の点に着目して成されたもので、長さ位置調節後の位置決めが確実に行われ、位置ずれすなわち長さの変動の発生を完全に防止した長さ調節可能な衝撃緩衝杖を得ることを目的とする。
【課題を解決するための手段】
【０００６】
本発明は、以下の構成により上記課題を解決できる。
【０００７】
（１）頂部に取手を備え、下端部に開口部を有する大径の中空円筒部材製の上パイプと、前記上パイプの前記開口部内に挿通でき、かつ前記大径の中空円筒部材製の上パイプの内径部に沿って摺動嵌合する小径の中空円筒形部材製の下パイプと、この下パイプの下端に取付けた接地用石突とより成り、上パイプに設けた長さ調節用の多数の孔に対し、下パイプの上部に突設した摺動駒体に出没自在に設けた係止ピンを係脱自在に配設する長さ調節位置決め機構を設けると共に、前記摺動駒体には下パイプの開口部から内部に向けてコイルスプリングを介して伸縮自在の杆体を設けた接地衝撃緩衝機構を設けて成ることを特徴とする長さ調節可能な衝撃緩衝杖。
【０００８】
（２）コイルスプリングは、下パイプの開口部より内側に隠蔽して配設して成ることを特徴とする前項（１）記載の長さ調節可能な衝撃緩衝杖。
【０００９】
（３）コイルスプリングは、下パイプの開口部より外側に突出させて配設して成ることを特徴とする前項（１）記載の長さ調節可能な衝撃緩衝杖。
【００１０】
（４）下パイプには、さらに着脱自在の二以上の連結パイプを、内装させた弾性紐を介して弾性的に連結し、かつ最下位の連結パイプには底部に接地用石突を設けて成ることを特徴とする前項（１）記載の長さ調節可能な衝撃緩衝杖。
【発明の効果】
【００１１】
本発明によれば、長さ調節位置決め機構により、長さの調節は、長さ調節用の孔とこれに係止する係止ピンにより、予め定めた長さに係止ピンの確実な孔との係合によって確保させているので、使用中、長さが不用意に変動する虞がなく、また接地衝撃緩衝機構によって、使用中の衝撃が緩和されるので、快適にしかも安全に使用できる。
【００１２】
また、上下分離型の杖にも、また多段ゴム付の折畳型の杖にも広く実施できる。
【発明を実施するための最良の形態】
【００１３】
つぎに、本発明の実施例について説明する。
【実施例】
【００１４】
本発明に係る杖は、基本的に頂部に取手１を備えた大径の上パイプ２と、この上パイプ２の下端に開口した開口端３より上パイプ２内に挿通して上下に移動する小径の下パイプ４と、この下パイプ４の下端に取付けた接地用石突１８とより構成される。
【００１５】
そして、上パイプ２と下パイプ４との間に長さ調節位置決め機構（Ａ）と、接地衝撃緩衝機構（Ｂ）とを備える。
【００１６】
以下に各機構（Ａ），（Ｂ）について、それぞれの構成と作用について詳述する。
【００１７】
（ｉ）長さ調節位置決め機構（Ａ）について
大径Ｒの上パイプ２の周面には、所望長さを置いて多数の長さ調節用の孔５を、片面または相対した両面に穿ってある。この上パイプ２に挿通される小径ｒの下パイプ４の上部には、その上方に下パイプ４と同径（ｒ）の摺動駒体６を配設し、この駒体６の外周に前記上パイプ２の孔５と係脱できる係止ピン７を出没自在に内蔵したバネ８により、行わせている。なお、係止ピン７は、上パイプ２の孔５が両面に相対向して設けたタイプのものには相対向して二個の係止ピン７を設けてある。
【００１８】
従って、上パイプ２に対して下パイプ４を上下に操作することにより、下パイプ４と従動して摺動駒体６は上下動し、好みの孔５内に摺動駒体６の係止ピン７を係入させて好みの高さ位置（長さ位置）を使用前、予め確実に設定できる。
【００１９】
なお、上下パイプ２，４は、いずれも中空円筒部材製の金属材料で構成される。
【００２０】
９は、摺動駒体６の下端に突設した杆体を示し、下パイプ４内に伸縮自在に挿通されて、接地衝撃緩衝機構（Ｂ）と連結されている。
【００２１】
（ｉｉ）接地衝撃緩衝機構（Ｂ）について
１０は前記杆体９の上下動を緩衝するコイルスプリングを示し、下パイプ４の開口部近傍の内部に設けたケーシング１１内に図２または図３に示すように配設するか、或は下パイプ４の開口部近傍外側に図４，図５または図６のように配設する。
【００２２】
図２または図３は、所謂、内部バネ方式と呼ぶべきもので、下パイプ４の開口部内側にケーシング１１を配し、図２にあっては、杆体９の下端部にガイドピン１２を横方向に貫通し、ケーシング１１内に挿通したコイルスプリング１０の上端と杆体９の端部とを係止させ、前記ガイドピン１２をケーシング１１の両側に穿った緩衝摺動が可能なスリット孔１３内を上下摺動できるように構成してある。
【００２３】
また、図３にあっては、杆体９をケーシング１１の下端より下方に貫通し、コイルスプリング１０内に杆体９を挿通し、コイルスプリング１０の上端を、杆体９のガイドピン１２ａと係止させ、衝撃時にはガイドピン１２ａがコイルスプリング１０と当接して緩衝してケーシング１１内のスリット孔１３に沿って上下動に摺動できるようになっている。
【００２４】
図４ないし図６は、コイルスプリング１０が下パイプ４の上方外部に配設される外部バネ方式と呼ぶべきものである。
【００２５】
図４は、摺動駒体６の下端に設けた杆体９を、下パイプ４の開口部に設けた遮体１４の透孔１５に挿通し、杆体９が下パイプ４内で摺動自在に形成すると共に、コイルスプリング１０は、摺動駒体６と遮体１４との間に装架させて置くものである。さらに、杆体９の下部にはガイドピン１２ｂを設け、下パイプ４の上部に設けたスリット孔１３ａに沿って上下に摺動できる。この場合、コイルスプリング１０は下パイプ４の上方で露出されている。
【００２６】
つぎに、図５に示すものは、ケーシング１１を下パイプ４の開口部近くに下部を固着させて、ケーシング１１の上半部分以上を外部に突出させただけの構成であり、その他の構成は図３と同一であるので、構成の詳細は省き、同一符号を付すだけとする。
【００２７】
この場合、コイルスプリング１０はケーシング１１で遮蔽されて、外見上見えない。
【００２８】
さらに図６および図７に示す構成について説明する。
【００２９】
この二つの実施例は、図６にはコイルスプリング１０を有しないケーシング１１を備えるが、図７ではケーシング１１を省いており、コイルスプリング１０を下パイプ４の上部上方に露出させて杆体９の下端は、下パイプ４の遮体１４の透孔１５を貫通して係止ピンに代る係止ピストン１２ｃを設けて、下パイプ４内を上下摺動可能としている。その他の構成は、図２および図５に示すものと実質同一であるので、同一の符号を付して説明の詳細は省く。
【００３０】
上述の各種異なる構成において、杖としての作用は同一であるので、以下に纏めて説明する。
【００３１】
なお、図２，３，４，５および６では、取手１の構成が示されていないが、図７と同一の取手構成を備えているので、取手１を備えたものとして、作用を説明する。
【００３２】
また、図２ないし６に示す下パイプ４の下端には、図１（ａ）の場合には下端に弾性体による石突１８が設けられており、図１（ｂ）の場合の多数の連結パイプ１７，１７……を備えた折畳杖については最下端の連結パイプ１７の下端に同様の石突１８を取付けてある。
【００３３】
取手１を把持し、杖として使用する際、接地衝撃が生じた時、上パイプ２は下パイプ４上を下降する。この下降に接し、コイルスプリング１０を圧縮して緩衝作用を呈し、急激なショックを無くすことができる。
【００３４】
圧縮されたコイルスプリング１０は衝撃が無くなると、コイルスプリング１０の復元力を得て上昇し、原状に復することができる。
【００３５】
このようにして接地時の衝撃を緩和吸収できる。
【００３６】
以上は、上下のパイプ２，４で構成される場合について説明したが、ゴム紐などの弾性紐１６を挿通した多数の連結パイプを組合せた折畳杖の場合について説明する。
【００３７】
図７に示すように、取手１を備えた上パイプ２の下端開口端３より上パイプ２に挿通される下パイプ４の上部に弾性紐１６の上端を係止した止杆１９を内設し、この弾性紐１６を引張しながら、下パイプ４の下端に順次と着脱係止できる多数の連結パイプ１７，１７・・・内を通って、最下位の石突１８を設けた連結パイプ１７内、または石突１８の内端に他端を係止することにより、緊張状態で多数のパイプを着脱分離可能に連結できる。
【００３８】
また、図８および図９（ａ），（ｂ）にも同様に、下パイプ４に設けた押え片１９ａ、止め片１９ｂに弾性紐１６を掛止めして伸縮可能としている。
【００３９】
係止ピン７に代え、着脱自在の半円弧状のバネ片部を有する、図１０（ａ），（ｂ）に示す係止ピン７ａ，７ｂを用いることもできる。係止ピン７ａは、孔５が片側の場合に用いるものであるが、係止ピン７ｂは、両側に設けてある場合に用いるものである。
【図面の簡単な説明】
【００４０】
【図１】本発明に係る長さ調節可能な衝撃緩衝杖の２タイプを示すもので、（ａ）は上下２段構成を示す杖の使用状態の側面図、（ｂ）はゴム紐のような弾性紐を挿入した折り畳み可能な杖の分離状態の側面図
【図２】要部構成の一例を示す拡大縦断面図
【図３】他の要部構成の一例を示す拡大縦断面図
【図４】さらに他の要部構成の一例を示す拡大縦断面図
【図５】さらに他の要部構成の一例を示す拡大縦断面図
【図６】さらに他の要部構成の一例を示す拡大縦断面図
【図７】さらに他の取手を備えた要部構成の一例を示す拡大縦断面図
【図８】弾性紐の端部係止状態の構成を示す要部の断面図
【図９】（ａ），（ｂ）弾性紐の端部係止状態の他例を示す要部の断面正面図と、断面側面図
【図１０】（ａ），（ｂ）係止ピンの他の２例を示す平面図
【符号の説明】
【００４１】
１  取手
２  上パイプ
３  開口端
４  下パイプ
５  孔
６  摺動駒体
７  係止ピン
８  バネ
９  杆体
１０  コイルスプリング
１１  ケーシング
１２  ガイドピン
１３  スリット孔
１４  遮体
１５  透孔
１６  弾性紐
１７  連結パイプ
１８  石突
１９  止杆
１９ａ  押え片
１９ｂ  止め片
【図１】
2007014395.tif 000003
【図２】
2007014395.tif 000004
【図３】
2007014395.tif 000005
【図４】
2007014395.tif 000006
【図５】
2007014395.tif 000007
【図６】
2007014395.tif 000008
【図７】
2007014395.tif 000009
【図８】
2007014395.tif 000010
【図９】
2007014395.tif 000011
【図１０】
2007014395.tif 000012